(57)【要約】【課題】  上記問題に鑑みてなされたものであり、見た目のコントラストを維持しつつ、明部階調および暗部階調を改善することが可能な階調変換処理および暗部階調の補正を行うこと。【解決手段】  被写体像を撮像して画像データを生成する撮像部と、画像データの暗部階調の補正を行わない第１の撮影モードと、画像データの暗部階調の補正を行う第２の撮影モードとの何れかを選択する選択部と、第１の撮影モードが選択された場合には第１の入出力特性にしたがって階調変換処理を行い、第２の撮影モードが選択された場合には、同じレベルの入力に対して第１の入出力特性よりも低い出力レベルを実現する特性を有し、かつ、コントラストを変化する特性を有する第２の入出力特性にしたがって階調変換処理を行う階調変換処理部と、第２の撮影モードが選択された場合に、階調変換処理部により第２の入出力特性にしたがって階調変換処理が施された画像データの暗部階調の明度を向上する補正を行う補正部とを備える。【選択図】      図１
2010028363.tif 000002
【特許請求の範囲】
【請求項１】
被写体像を撮像して画像データを生成する撮像部と、
前記画像データの暗部階調の補正を行わない第１の撮影モードと、前記画像データの暗部階調の補正を行う第２の撮影モードとの何れかを選択する選択部と、
前記第１の撮影モードが選択された場合には第１の入出力特性にしたがって階調変換処理を行い、前記第２の撮影モードが選択された場合には、同じレベルの入力に対して前記第１の入出力特性よりも低い出力レベルを実現する特性を有し、かつ、コントラストを変化する特性を有する第２の入出力特性にしたがって階調変換処理を行う階調変換処理部と、
前記第２の撮影モードが選択された場合に、前記階調変換処理部により前記第２の入出力特性にしたがって階調変換処理が施された前記画像データの暗部階調の明度を向上する補正を行う補正部と
を備えたことを特徴とする撮像装置。
【請求項２】
請求項１に記載の撮像装置において、
前記第２の入出力特性のうち、前記コントラストを変化する特性は、階調の中間部において、前記コントラストを弱める特性を有する
ことを特徴とする撮像装置。
【請求項３】
請求項１に記載の撮像装置において、
前記第２の入出力特性は、同じレベルの入力に対して前記第１の入出力特性よりも低い出力レベルを実現する特性を有する階調カーブと、前記コントラストを変化する特性を有する階調カーブとにより定義されるか、または、同じレベルの入力に対して前記第１の入出力特性よりも低い出力レベルを実現する特性を有し、かつ、前記コントラストを変化する特性を有する１つの階調カーブにより定義される
ことを特徴とする撮像装置。
【請求項４】
請求項１に記載の撮像装置において、
前記第２の入出力特性にしたがって、前記補正部による暗部階調の明度向上量を決定する決定部を備え、
前記補正部は、前記明度向上量にしたがって、前記画像データの暗部階調を補正する
ことを特徴とする撮像装置。
【請求項５】
請求項４に記載の撮像装置において、
前記決定部は、前記第２の出力特性のうち、前記コントラストを変化する特性にしたがって、画像の局所領域におけるコントラストを示す局所的コントラストの調整度合いを求め、求めた調整度合いに基づいて前記明度向上量を決定する
ことを特徴とする撮像装置。
【請求項６】
処理対象の画像データに対する画像処理をコンピュータで実現するための画像処理プログラムであって、
前記画像データと、前記画像データの暗部階調の補正を行わない第１の撮影モードと前記画像データの暗部階調の補正を行う第２の撮影モードとの何れのモードにより前記画像データが生成されたかを示す情報とを取得する取得ステップと、
前記画像データが前記第１の撮影モードにより生成された場合には第１の入出力特性にしたがって階調変換処理を行い、前記画像データが前記第２の撮影モードにより生成された場合には同じレベルの入力に対して前記第１の入出力特性よりも低い出力レベルを実現する特性を有し、かつ、コントラストを変化する特性を有する第２の入出力特性にしたがって階調変換処理を行う階調変換処理ステップと、
前記画像データが前記第２の撮影モードにより生成された場合に、前記階調変換処理ステップにおいて前記第２の入出力特性にしたがって階調変換処理が施された前記画像データの暗部階調の明度を向上する補正を行う補正ステップと
をコンピュータで実現することを特徴とする画像処理プログラム。
【請求項７】
請求項６に記載の画像処理プログラムにおいて、
前記第２の入出力特性のうち、前記コントラストを変化する特性は、階調の中間部において、前記コントラストを弱める特性を有する
ことを特徴とする画像処理プログラム。
【請求項８】
請求項６に記載の画像処理プログラムにおいて、
前記第２の入出力特性は、同じレベルの入力に対して前記第１の入出力特性よりも低い出力レベルを実現する特性を有する階調カーブと、前記コントラストを変化する特性を有する階調カーブとにより定義されるか、または、同じレベルの入力に対して前記第１の入出力特性よりも低い出力レベルを実現する特性を有し、かつ、前記コントラストを変化する特性を有する１つの階調カーブにより定義される
ことを特徴とする画像処理プログラム。
【請求項９】
請求項６に記載の画像処理プログラムにおいて、
前記第２の入出力特性にしたがって、前記補正ステップにおける暗部階調の明度向上量を決定する決定ステップを備え、
前記補正ステップでは、前記明度向上量にしたがって、前記画像データの暗部階調を補正する
ことを特徴とする画像処理プログラム。
【請求項１０】
請求項９に記載の画像処理プログラムにおいて、
前記決定ステップでは、前記第２の出力特性のうち、前記コントラストを変化する特性にしたがって、画像の局所領域におけるコントラストを示す局所的コントラストの調整度合いを求め、求めた調整度合いに基づいて前記明度向上量を決定する
ことを特徴とする画像処理プログラム。
【発明の詳細な説明】
【技術分野】
【０００１】
本発明は、撮像装置および画像処理プログラムに関する。
【背景技術】
【０００２】
従来、輝度差の大きな被写体を撮影することにより、画像データの暗部階調が暗く潰れるという現象が知られている。そこで、特許文献１の発明では、暗部階調のゲインを上げることで階調を圧縮し、暗部階調の黒つぶれを改善している。
【特許文献１】特許２６６３１８９号
【発明の開示】
【発明が解決しようとする課題】
【０００３】
ところで、階調変換処理に関しては、コントラストを強調するためにいわゆるＳ字型の階調カーブを用いた階調変換処理が広く知られている。このＳ字型の階調カーブを用いた階調変換処理では、コントラストを強調することが可能である一方、明部階調のコントラストが低下する場合や、暗部階調が暗く潰れてしまう場合があった。
【０００４】
本発明は、上記問題に鑑みてなされたものであり、見た目のコントラストを維持しつつ、明部階調および暗部階調を改善することが可能な階調変換処理および暗部階調の補正を行うことを目的とする。
【課題を解決するための手段】
【０００５】
本発明の撮像装置は、被写体像を撮像して画像データを生成する撮像部と、前記画像データの暗部階調の補正を行わない第１の撮影モードと、前記画像データの暗部階調の補正を行う第２の撮影モードとの何れかを選択する選択部と、前記第１の撮影モードが選択された場合には第１の入出力特性にしたがって階調変換処理を行い、前記第２の撮影モードが選択された場合には、同じレベルの入力に対して前記第１の入出力特性よりも低い出力レベルを実現する特性を有し、かつ、コントラストを変化する特性を有する第２の入出力特性にしたがって階調変換処理を行う階調変換処理部と、前記第２の撮影モードが選択された場合に、前記階調変換処理部により前記第２の入出力特性にしたがって階調変換処理が施された前記画像データの暗部階調の明度を向上する補正を行う補正部とを備える。
【０００６】
なお、前記第２の入出力特性のうち、前記コントラストを変化する特性は、階調の中間部において、前記コントラストを弱める特性を有しても良い。
【０００７】
また、前記第２の入出力特性は、同じレベルの入力に対して前記第１の入出力特性よりも低い出力レベルを実現する特性を有する階調カーブと、前記コントラストを変化する特性を有する階調カーブとにより定義されるか、または、同じレベルの入力に対して前記第１の入出力特性よりも低い出力レベルを実現する特性を有し、かつ、前記コントラストを変化する特性を有する１つの階調カーブにより定義されても良い。
【０００８】
また、前記第２の入出力特性にしたがって、前記補正部による暗部階調の明度向上量を決定する決定部を備え、前記補正部は、前記明度向上量にしたがって、前記画像データの暗部階調を補正しても良い。
【０００９】
また、前記決定部は、前記第２の出力特性のうち、前記コントラストを変化する特性にしたがって、画像の局所領域におけるコントラストを示す局所的コントラストの調整度合いを求め、求めた調整度合いに基づいて前記明度向上量を決定しても良い。
【００１０】
また、上記発明に関する構成を、処理対象の画像データに対する画像処理をコンピュータで実現するための画像処理プログラムに変換して表現したものも本発明の具体的態様として有効である。
【発明の効果】
【００１１】
本発明によれば、見た目のコントラストを維持しつつ、明部階調および暗部階調を改善することが可能な階調変換処理および暗部階調の補正を行うことができる。
【発明を実施するための最良の形態】
【００１２】
以下、図面を用いて本発明の実施形態について説明する。以下の実施形態では、本発明のカメラの一例として、一眼レフタイプの電子カメラを用いて説明する。
【００１３】
図１は、本実施形態の電子カメラ１の構成を示す図である。図１に示すように、電子カメラ１は、撮影レンズ２、絞り３、クイックリターンミラー４、サブミラー５、拡散スクリーン６、コンデンサレンズ７、ペンタプリズム８、ビームスプリッタ９、接眼レンズ１０、結像レンズ１１、測光センサ１２、シャッタ１３、撮像素子１４、焦点検出部１５の各部を備える。
【００１４】
測光センサ１２は、例えば、５分割の測光センサである。撮像素子１４は、例えばＣＣＤ（Charge Coupled Device）やＣＭＯＳ（Complementary Metal Oxide Semiconductor）などの半導体デバイスである。焦点検出部１５は、例えば、位相差方式の焦点検出を行い、撮影レンズ２の焦点状態を検出する。また、電子カメラ１は、測光センサ１２により検出される輝度に基づいて、コントラスト方式の焦点検出を行い、撮影レンズ２の焦点状態を検出する。
【００１５】
また、電子カメラ１は、撮像により生成された画像などを表示する液晶モニタなどのモニタ１６、各部を制御する制御部１７をさらに備える。制御部１７は、内部に不図示のメモリを備え、各部を制御するためのプログラムを予め記録する。
【００１６】
非撮影時、すなわち撮影を行わない場合には、クイックリターンミラー４は、図１に示すように、４５°の角度に配置される。そして、撮影レンズ２および絞り３を通過した光束は、クイックリターンミラー４で反射され、拡散スクリーン６、コンデンサレンズ７、ペンタプリズム８、ビームスプリッタ９を介して接眼レンズ１０に導かれる。ユーザは、接眼レンズ１０を介して被写体の像を目視することにより構図確認を行う。一方、ビームスプリッタ９により、上方に分割された光束は、結像レンズ１１を介して測光センサ１２の撮像面上に再結像される。また、クイックリターンミラー４を透過した光束は、サブミラー５を介して焦点検出部１５に導かれる。
【００１７】
一方、撮影時には、クイックリターンミラー４が、破線で示す位置に退避してシャッタ１３が開放し、撮影レンズ２からの光束は撮像素子１４に導かれる。
【００１８】
図２は、本実施形態の電子カメラ１の機能ブロック図である。図２に示すように、電子カメラ１は、図１の構成に加えて、タイミングジェネレータ２０、信号処理部２１、Ａ／Ｄ変換部２２、バッファメモリ２３、バス２４、カードインターフェース２５、圧縮伸長部２６、画像表示部２７の各部を備える。タイミングジェネレータ２０は、撮像素子１４に出力パルスを供給する。また、撮像素子１４で生成される画像データは、信号処理部２１（撮像感度に対応するゲイン調整部を含む）およびＡ／Ｄ変換部２２を介して、バッファメモリ２３に一時記憶される。バッファメモリ２３は、バス２４に接続される。このバス２４には、カードインターフェース２５、図１で説明した制御部１７、圧縮伸張部２６、および画像表示部２７が接続される。カードインターフェース２５は、着脱自在なメモリカード２８と接続し、メモリカード２８に画像データを記録する。また、制御部１７には、電子カメラ１のスイッチ群２９（不図示のレリーズ釦などを含む）、タイミングジェネレータ２０、および測光センサ１２が接続される。さらに、画像表示部２７は、電子カメラ１の背面に設けられたモニタ１６に画像などを表示する。
【００１９】
また、電子カメラ１は、画像データの暗部階調の補正を行わない階調非圧縮モードと、暗部階調の補正を行う階調圧縮モードとを備える。何れのモードにより撮影を実行するかは、ユーザによりスイッチ群２９を介して予め選択されても良いし、制御部１７により自動で選択されても良い。
【００２０】
以上説明した構成の電子カメラ１の撮影時の動作について、図３に示すフローチャートを用いて説明する。
【００２１】
ステップＳ１において、制御部１７は、ユーザによりスイッチ群２９を介して撮影開始が指示されたか否かを判定する。そして、制御部１７は、撮影開始が指示されたと判定するとステップＳ２に進む。
【００２２】
ステップＳ２において、制御部１７は、各部を制御し、撮像素子１４により被写体像を撮像して画像データを生成する。撮像素子１４により生成された画像データは、信号処理部２１およびＡ／Ｄ変換部２２を介して、バッファメモリ２３に一時記憶される。
【００２３】
ステップＳ３において、制御部１７は、バッファメモリ２３から画像データを読み出し、通常の画像処理を行う。通常の画像処理とは、ホワイトバランス調整、補間処理、色調補正処理などである。各処理の具体的な方法は公知技術と同様であるため説明を省略する。
【００２４】
ステップＳ４において、制御部１７は、階調圧縮モードが設定されているか否かを判定する。そして、制御部１７は、階調圧縮モードが設定されていると判定すると後述するステップＳ７に進む。一方、階調圧縮モードが設定されていない（階調非圧縮モードが設定されている）と判定すると、制御部１７はステップＳ５に進む。
【００２５】
ステップＳ５において、制御部１７は、階調カーブＧ１を選択する。階調カーブは、後述するステップＳ６で行われる階調変換処理に用いられるものである。制御部１７は、内部の不図示のメモリに、図４および図５に示す３種類の階調カーブ（Ｇ１〜Ｇ３）を予め記録している。
【００２６】
階調非圧縮モードにおいては、制御部１７は、図４に示す階調カーブＧ１を選択する。階調カーブＧ１は公知技術と同様の通常の階調変換処理に用いられる階調カーブである。
【００２７】
ステップＳ６において、制御部１７は、ステップＳ５で選択した階調カーブＧ１にしたがって、ステップＳ３で画像処理を施した画像データに対して階調変換処理を行う。階調変換処理の詳細は公知技術と同様であるため説明を省略する。そして、制御部１７は、後述するステップＳ１２に進む。
【００２８】
ステップＳ７において、制御部１７は、階調カーブＧ２を選択する。階調カーブＧ２は、図４に示すように、上述した階調カーブＧ１と比較して、同じレベルの入力に対して低い出力レベルを実現する特性を有する。より詳しくは、階調カーブＧ２は、上述した階調カーブＧ１と比較して、階調の暗部において、入力レベルに対して低い出力レベルを実現する特性を有する。そのため、上述した階調カーブＧ１と比較して、階調の暗部において、階調カーブＧ１よりも小さい傾きを有する。また、階調カーブＧ２は、上述した階調カーブＧ１と比較して、階調の明部において、コントラストをより強調する特性を有する。そのため、上述した階調カーブＧ１と比較して、階調の明部において、階調カーブＧ１よりも大きい傾きを有する。
【００２９】
ステップＳ８において、制御部１７は、ステップＳ７で選択した階調カーブＧ２にしたがって、ステップＳ３で画像処理を施した画像データに対して階調変換処理を行う。階調変換処理の詳細は公知技術と同様であるため説明を省略する。
【００３０】
ステップＳ９において、制御部１７は、図５に示す階調カーブＧ３を選択する。階調カーブＧ３は、図５に示すように、１：１の入出力（図５点線参照）と比較して、階調の中間部において、コントラストを弱める特性を有する。
【００３１】
ステップＳ１０において、制御部１７は、ステップＳ９で選択した階調カーブＧ３にしたがって、ステップＳ８で１回目の階調変換処理を施した画像データに対して２回目の階調変換処理を行う。階調変換処理の詳細は公知技術と同様であるため説明を省略する。なお、上述した階調カーブＧ３にしたがって階調変換処理を行うことにより、階調の中間部において階調が軟調化される。
【００３２】
ステップＳ１１において、制御部１７は、ステップＳ１０で２回目の階調変換処理を施した画像データに対して階調圧縮処理を行う。
【００３３】
図６は、階調圧縮のパラメータｆｇを示す図である。パラメータｆｇは、図６に示すように、画像の明度Ｙに応じたゲインを有する。そして、明度Ｙが小さいほど（処理画素を含む近傍範囲が暗いほど）、パラメータｆｇは大きくなる。逆に、明度Ｙが大きいほど（処理画素を含む近傍範囲が明るいほど）、パラメータｆｇは１に近づく。
【００３４】
各画素Ｒ［ｘ，ｙ］，Ｇ［ｘ，ｙ］，Ｂ［ｘ，ｙ］における階調圧縮演算は以下の式１から式５により行う。
【００３５】
【数１】
2010028363.tif 000003
式１中のＹは、注目画素の輝度値を示す。また、式１中のｋｒ，ｋｇ，ｋｂは所定の係数である。また、式２中のＬｐｗは、注目画素周りのローパスフィルタであり、このローパスフィルタは、図７に示す特性を有する。また、式２中のｋｙは、所定の調整係数である。また、式３〜式５中のｆｇは、上述したパラメータｆｇに対応する。
【００３６】
調整係数ｋｙは、画像の局所領域におけるコントラスト（以下、「局所的コントラスト」と称する）を調整するための調整係数である。式２から明らかなように、ｋｙが変化すると、注目画素の輝度値と注目画素周りのローパス値とを組み合わせる際の重みが変化する。例えば、調整係数ｋｙ＝１の場合には、式３〜式５により、注目画素の輝度値のみでパラメータｆｇの向上量が決定されることになる。逆に、調整係数ｋｙ＝０の場合には、式３〜式５により、注目画素周りのローパス値のみでパラメータｆｇの向上量が決定されることになる。傾向としては、調整係数ｋｙが大きくなるほど局所的コントラストが低下し、調整係数ｋｙが小さくなるほど局所的コントラストが強調される。ステップＳ１０で説明したように、階調カーブＧ３にしたがって階調変換処理を行うことにより、階調が軟調化されるので、調整係数ｋｙを適切に設定することにより、局所的コントラストを調整して、見た目のコントラストを維持することができる。調整係数ｋｙは、固定値であっても良いし、変動値であっても良い。ここでは、例えば、ｋｙ＝０．５程度の固定値であるものとする。
【００３７】
ここで、局所的コントラストと階調圧縮処理との関係を図８を参照して説明する。図８は、ある注目画素近傍の輝度値の振るまいを示す模式図である。図８に示すように、元画像Ａに対して階調カーブによる暗部の引き上げ処理を施すと、処理後の画像Ｂの暗部階調の黒つぶれを改善できる一方、コントラストは低下する。
【００３８】
これに対し、上述したように、元画像Ａに対する階調圧縮処理の際に、調整係数により局所的コントラストを強調することにより、処理後の画像Ｃの暗部階調の黒つぶれを改善しつつ、見た目のコントラストを強調（あるいは維持）することができる（図８矢印Ｃ参照）。このような効果を得ることができるのは、人間の視覚では、コントラストを知覚するのが局所的であるためである。
【００３９】
ステップＳ１２において、制御部１７は、ステップＳ１１で階調圧縮処理を施した画像データ、またはステップＳ６で階調変換処理を施した画像データを、カードインターフェース２５を介してメモリカード２８に記録し、一連の処理を終了する。なお、画像データをメモリカード２８に記録する前に、圧縮伸長部２６を介して、必要に応じて画像圧縮処理（ＪＰＥＧ圧縮処理など）を施しても良い。
【００４０】
以上説明したように、本実施形態によれば、画像データの暗部階調の補正を行わない第１の撮影モードと、暗部階調の補正を行う第２の撮影モードとを選択可能に有し、第１の撮影モードが選択された場合には第１の入出力特性にしたがって階調変換処理を行い、第２の撮影モードが選択された場合には同じレベルの入力に対して第１の入出力特性よりも低い出力レベルを実現する特性を有し、かつ、コントラストを変化する特性を有する第２の入出力特性にしたがって階調変換処理を行う。そして、第２の撮影モードが選択された場合には、階調変換処理部により第２の入出力特性にしたがって階調変換処理が施された画像データの暗部階調の明度を向上する補正を行う。したがって、注目している領域では、見た目のコントラストを維持しつつ、明部階調および暗部階調を改善することが可能な階調変換処理および暗部階調の補正を行うことができる。さらに、本実施形態によれば、従来のようなＳ字型の階調カーブを用いた階調変換処理によって色相が変わってしまうという現象も、低減することができる。
【００４１】
また、本実施形態によれば、第２の入出力特性のうち、コントラストを変化する特性は、階調の中間部において、コントラストを弱める特性を有する。したがって、階調変換処理の結果を暗めに抑えておくことができるので、階調圧縮処理の前後で画像全体の明るさを維持することができる。
【００４２】
また、本実施形態によれば、第２の出力特性のうち、コントラストを変化する特性にしたがって、画像の局所領域におけるコントラストを示す局所的コントラストの調整度合いを求め、求めた調整度合いに基づいて明度向上量を決定する。したがって、階調変換処理によって階調が軟調化されても、注目している領域では、見た目のコントラストを維持するように、暗部階調を補正することができる。
【００４３】
なお、本実施形態では、図３のフローチャートを用いて説明したように、階調カーブＧ２および階調カーブＧ３を用いて、階調変換処理を２回行う場合を例に挙げて説明したが、同じレベルの入力に対してＧ１よりも低い出力レベルを実現する特性を有し、かつ、コントラストを変化する特性を有する１つの階調カーブを用いて、１回のみ階調変換処理を行う構成としても良い。すなわち、図９のフローチャートに示すように、ステップＳ２１からステップＳ２６において、制御部１７は、図３のフローチャートのステップＳ１からステップＳ６と同様の処理を行う。
【００４４】
そして、ステップＳ２７において、制御部１７は、階調カーブＧ４を選択する。階調カーブＧ４は、図１０に示すように、図３のフローチャートを用いて説明した階調カーブＧ２の特性と階調カーブＧ３の特性とをあわせ持つ階調カーブである。
【００４５】
ステップＳ２８において、制御部１７は、ステップＳ２７で選択した階調カーブＧ４にしたがって、ステップＳ２３で画像処理を施した画像データに対して階調変換処理を行う。
【００４６】
ステップＳ２９からステップＳ３０において、制御部１７は、図３のフローチャートのステップＳ１１からステップＳ１２と同様の処理を行う。このような構成とすることにより、本実施形態と同様の効果を得ることができる。
【００４７】
また、本実施形態では、階調圧縮モード時の階調変換処理に用いる階調カーブである階調カーブＧ３と、局所的コントラストの調整係数ｋｙは固定である場合を例に挙げて説明したが、階調カーブＧ３および調整係数ｋｙを連動させて変更する構成としても良い。上述したように、調整係数ｋｙが大きくなるほど局所的コントラストが低下し、調整係数ｋｙが小さくなるほど局所的コントラストが強調される。したがって、調整係数ｋｙが大きくなるほど、階調の中間部においてコントラストが強まるように階調カーブＧ３を設定し、調整係数ｋｙが小さくなるほど、階調の中間部においてコントラストが弱まるように階調カーブＧ３を設定すれば良い。図１１に、調整係数ｋｙを変化させた場合の階調カーブＧ３の例を示す。
【００４８】
なお、階調カーブＧ３および調整係数ｋｙは、撮影モード（例えば、「ポートレートモード」、「風景モード」など）に応じて変更する構成としても良いし、画像のコントラストの強弱に応じて変更する構成としても良いし、画像の調整モードに応じて変更する構成としても良い。また、シーン解析や顔認識による画像判断結果に応じて、階調カーブＧ３および調整係数ｋｙを変更する構成としても良い。このように階調カーブＧ３および調整係数ｋｙを適宜変更することにより、画像に最適化した階調変換処理および暗部階調の補正を行うことができる。
【００４９】
また、図１１に示したような複数の階調カーブは、予め記録されているものから何れかの階調カーブを選択して使用しても良いし、制御部１７が、階調カーブを適宜調整して使用する構成としても良い。
【００５０】
また、本実施形態において、階調変換処理に用いる階調カーブを露出補正による影響に応じて変更する構成としても良い。例えば、露出補正により画像全体の明るさの維持をある程度実現することができる場合には、階調圧縮モード時に用いる階調カーブの変更量を少なめとしても良い。
【００５１】
また、上述した実施形態では、本発明の技術を電子カメラ１において実現する例について説明した。しかしながら、本発明はこれに限定されるものではない。例えば、コンパクトタイプの電子カメラや動画撮影を行うムービーカメラなどにも本発明を同様に適用することができる。
【００５２】
また、コンピュータと画像処理プログラムとにより、本実施形態で説明した画像処理装置をソフトウェア的に実現しても良い。この場合、図３のフローチャートで説明したステップＳ４以降の処理の一部または全部をコンピュータで実現する構成とすれば良い。または、図９のフローチャートで説明したステップＳ２４以降の処理の一部または全部をコンピュータで実現する構成とすれば良い。コンピュータで実現するためには、画像データとともに、階調圧縮モードであるか否かの情報などをコンピュータに供給すれば良い。このような情報は画像データのＥＸＩＦ情報などを利用して供給することができる。このような構成とすることにより、本実施形態と同様の処理を実施することが可能になる。
【００５３】
なお、本発明は、その精神または主要な特徴から逸脱することなく、他のいろいろな形で実施することができる。そのため、前述の実施例はあらゆる点で単なる例示に過ぎず、限定的に解釈してはならない。本発明の範囲は、特許請求の範囲によって示すものであって、明細書本文には、なんら拘束されない。さらに、特許請求の範囲の均等範囲に属する変形や変更は、すべて本発明の範囲内のものである。
【図面の簡単な説明】
【００５４】
【図１】本実施形態の電子カメラ１の構成を示す図である。
【図２】本実施形態の電子カメラ１の機能ブロック図である。
【図３】本実施形態の電子カメラ１の撮影時の動作を示すフローチャートである。
【図４】階調カーブについて説明する図である。
【図５】階調カーブについて説明する別の図である。
【図６】階調圧縮のパラメータｆｇについて説明する図である。
【図７】ローパスフィルタについて説明する図である。
【図８】局所的コントラストと階調圧縮処理との関係について説明する図である。
【図９】本実施形態の電子カメラ１の撮影時の動作を示す別のフローチャートである。
【図１０】階調カーブについて説明する別の図である。
【図１１】階調カーブについて説明する別の図である。
【符号の説明】
【００５５】
１…電子カメラ，２…撮影レンズ，１４…撮像素子，１７…制御部
【図１】
2010028363.tif 000004
【図２】
2010028363.tif 000005
【図３】
2010028363.tif 000006
【図４】
2010028363.tif 000007
【図５】
2010028363.tif 000008
【図６】
2010028363.tif 000009
【図７】
2010028363.tif 000010
【図８】
2010028363.tif 000011
【図９】
2010028363.tif 000012
【図１０】
2010028363.tif 000013
【図１１】
2010028363.tif 000014